(57)【要約】【課題】センサに対する電気ケーブルの接続を不要にして信頼性を向上できると共に、設置費用を安価にでき、しかも、設置の自由度を大きくできる気象事象観測装置の提供。【解決手段】複数のＩＣタグ４１，４２，４３・・・を垂直方向に配置し、水位の上昇によって水没した少なくとも１個のＩＣタグ４１，４２，４３・・・とＩＣタグリーダー５との無線通信が通信可能状態から通信不可能状態に変化したことを検知して河川等の水位を観測する。【選択図】  図４
2010281586.tif 000002
【特許請求の範囲】
【請求項１】
ＩＣタグとＩＣタグリーダーとを備え、ＩＣタグリーダーはＩＣタグからの到達電波強度が高レベルから低レベルへ変化することの検知および低レベルから高レベルへ変化することの検知の少なくとも一方に基づいて気象事象を観測することを特徴とする気象事象観測装置。
【請求項２】
ＩＣタグリーダーはＩＣタグからの到達電波強度が所定値より低下したことの検知および所定値より上昇したことの検知の少なくとも一方に基づいて気象事象を観測することを特徴とする請求項１記載の気象事象観測装置。
【請求項３】
ＩＣタグリーダーはＩＣタグからの到達電波強度が両者間での無線通信が通信可能状態から通信不可能状態に変化したことの検知および両者間での無線通信が通信不可能状態から通信可能状態に変化したことの検知の少なくとも一方に基づいて気象事象を観測することを特徴とする請求項１記載の気象事象観測装置。
【請求項４】
前記気象事象は、河川等の水位であることを特徴とする請求項１乃至請求項３のいずれかに記載の気象事象観測装置。
【請求項５】
複数のＩＣタグを垂直方向に配置し、ＩＣタグリーダーは少なくとも１個のＩＣタグからの到達電波強度が水位の上昇にともなって高レベルから低レベルへ変化することの検知に基づいて河川等の水位を観測することを特徴とする請求項４記載の気象事象観測装置。
【請求項６】
複数のＩＣタグを垂直方向に配置し、ＩＣタグリーダーは少なくとも１個のＩＣタグからの到達電波強度が水位の上昇にともなって所定値より低下したことの検知に基づいて河川等の水位を観測することを特徴とする請求項４および請求項５のいずれかに記載の気象事象観測装置。
【請求項７】
複数のＩＣタグを垂直方向に配置し、ＩＣタグリーダーは少なくとも１個のＩＣタグからの到達電波強度が水位の上昇にともなって両者間での無線通信が通信可能状態から通信不可能状態に変化したことの検知に基づいて河川等の水位を観測することを特徴とする請求項４および請求項５のいずれかに記載の気象事象観測装置。
【請求項８】
複数のＩＣタグを垂直方向に配置し、ＩＣタグリーダーは少なくとも１個のＩＣタグからの到達電波強度が水位の下降にともなって低レベルから高レベルへ変化することの検知に基づいて河川等の水位を観測することを特徴とする請求項４記載の気象事象観測装置。
【請求項９】
複数のＩＣタグを垂直方向に配置し、ＩＣタグリーダーは少なくとも１個のＩＣタグからの到達電波強度が水位の下降にともなって所定値より上昇したことの検知に基づいて河川等の水位を観測することを特徴とする請求項４および請求項８のいずれかに記載の気象事象観測装置。
【請求項１０】
複数のＩＣタグを垂直方向に配置し、ＩＣタグリーダーは少なくとも１個のＩＣタグからの到達電波強度が水位の下降にともなって両者間での無線通信が通信不可能状態から通信可能状態に変化したことの検知に基づいて河川等の水位を観測することを特徴とする請求項４および請求項８のいずれかに記載の気象事象観測装置。
【請求項１１】
複数のＩＣタグを垂直方向に配置すると共に、最上位のＩＣタグの上方にＩＣタグリーダーを配置し、ＩＣタグリーダーは水位の上昇にともなって全てのＩＣタグからの電波到達強度が高レベルから低レベルへ変化することの検知に基づくと共に、ＩＣタグリーダーの水没の検知に基づいて河川等の水位を観測することを特徴とする請求項４記載の気象事象観測装置。
【請求項１２】
水位に追従して上下動可能なフロートにＩＣタグを設置し、ＩＣタグリーダーはＩＣタグからの到達電波強度が高レベルから低レベルへ変化することの検知および低レベルから高レベルへ変化することの検知の少なくとも一方に基づいて河川等の水位を観測することを特徴とする請求項４記載の気象事象観測装置。
【請求項１３】
水位に追従して転動しながら上下方向に移動する円筒形状フロートの外周面または側面に複数のＩＣタグを設置すると共に、円筒形状フロートが転動しながら上下方向に移動するときＩＣタグの水没と非水没とを繰り返すようし、ＩＣタグリーダーはＩＣタグからの到達電波強度が高レベルから低レベルへ変化することの検知および低レベルから高レベルへ変化することの検知の少なくとも一方に基づいて河川等の水位を観測することを特徴とする請求項４記載の気象事象観測装置。
【請求項１４】
前記気象事象は、降雨量であることを特徴とする請求項１乃至請求項３のいずれかに記載の気象事象観測装置。
【請求項１５】
所定量の雨水を貯留したとき枡の転倒により一方の桝から他方の桝に雨水の貯留が変更することを繰り返す雨量計の双方の枡内部にＩＣタグを配置し、ＩＣタグリーダーは雨水の貯留にともなってＩＣタグからの電波到達強度が高レベルから低レベルへ変化することの検知に基づいて枡の転倒を検知して降雨量を観測することを特徴とする請求項１４記載の気象事象観測装置。
【請求項１６】
所定量の雨水を貯留したとき桝の転倒により一方の桝から他方の桝に雨水の貯留が変更することを繰り返す雨量計の枡の転倒により雨水が流出する通路にＩＣタグを配置し、ＩＣタグリーダーは枡の転倒による雨水の流出にともなってＩＣタグからの電波到達強度が高レベルから低レベルへ変化することの検知に基づいて枡の転倒を検知して降雨量を観測することを特徴とする請求項１４記載の気象事象観測装置。
【請求項１７】
ＩＣタグにはリード線を介して水分と接すると電気特性が変化する電気素子が接続されていることを特徴とする請求項１乃至請求項１６のいずれかに記載の気象事象観測装置。
【請求項１８】
ＩＣタグおよびＩＣタグリーダーの少なくとも一方を防水構造とし、表面に撥水性のコーティング処理を施してなることを特徴とする請求項１乃至請求項１６のいずれかに記載の気象事象観測装置。
【請求項１９】
前記気象事象は、風速であることを特徴とする請求項１乃至請求項３のいずれかに記載の気象事象観測装置。
【請求項２０】
円板に複数のＩＣタグを配置してなるＩＣタグ円板と、円周方向に電磁遮蔽部と電磁透過部とを有する遮蔽円板とを同心状に配置してなるＩＣタグエンコーダーを、風を受けて回転する風力回転体に取り付け、ＩＣタグリーダーはＩＣタグ円板および遮蔽円板のいずれか一方が風力回転体と共に回転するのにともなってＩＣタグからの電波到達強度が電磁遮蔽部の通過により高レベルから低レベルへ変化することの検知に基づいて風速を観測することを特徴とする請求項１９記載の気象事象観測装置。
【請求項２１】
前記気象事象は、風向であることを特徴とする請求項１乃至請求項３のいずれかに記載の気象事象観測装置。
【請求項２２】
円板に複数のＩＣタグを配置してなるＩＣタグ円板と、円周方向に電磁遮蔽部と電磁透過部とを有する遮蔽円板とを同心状に配置してなるＩＣタグエンコーダーを、風向に応じて回転する風向回転体に取り付け、ＩＣタグリーダーはＩＣタグ円板および遮蔽円板のいずれか一方が風力回転体と共に回転するのにともなってＩＣタグからの電波到達強度が電磁遮蔽部の通過により高レベルから低レベルへ変化することの検知に基づいて風向を観測することを特徴とする請求項２１記載の気象事象観測装置。
【発明の詳細な説明】
【技術分野】
【０００１】
本発明は、河川等の水位、降雨量、風向、風速などといった気象事象観測装置に関するものであり、特に、無線で情報を取得できる気象事象観測装置に関するものである。
【背景技術】
【０００２】
気象庁などの公的機関から発表される気象事象としては、河川等の水位、降雨量、風向、風速などがあり、これら気象事象観測装置の従来例を次に説明する。
【０００３】
河川等の水位観測装置としては、図１６に示すように、赤外線測定器３０を計測筒３１の上部に配置し、計測筒３１の内部には反射板３２をフロート３３に貼り付けて配置して水面３４に浮かせておき、赤外線測定器３０から発光された赤外光３５を反射板３２で反射させ、赤外光３５の反射角度や反射光量を計測して水位を観測する方法が知られている（例えば特許文献１参照）。
【０００４】
また、河川等の水位観測装置の他の例としては、図１７に示すように、圧力計３５を底地盤３８上に置き、その上部に加わる水圧を測定し、その値から水位を観測して電気ケーブル３６で送信する方法が知られている（例えば特許文献２参照）。
【０００５】
次に、降雨量観測装置としては、図１８に示すように、２個の桝４１１，４１２からなる転倒枡４１を備え、受水口４０で集められた雨水を一方の枡４１１に導き、その一方の枡４１１が満水になると雨水の重みで転倒枡４１が転倒して雨水が排水口４２１から排水され、続いて一方の枡４１１の転倒によって他方の枡４１２に雨水が貯められ、他方の枡４１２が満水になると転倒枡４１が転倒して雨水が排水口４２１から排水される動作が繰り返えされるものが知られている（例えば特許文献３参照）。
【０００６】
前述の降雨量観測装置は、転倒枡４１の転倒毎に電気接点を動作させ、電気接点の動作回数と、一回の排水量との関係から降雨量を観測するもので、それらの信号を電気ケーブルを介して変換器に送信し、降雨量を観測するようになっている。
【０００７】
風向・風速観測装置としては、図１９に示すように、プロペラ４３と尾翼４４とを備え、尾翼４４の受ける風圧でプロペラ４３を常に風上に向け、光電エンコーダ方式により尾翼回転を計測して風向を観測し、また、光電パルス方式によりプロペラ回転を計測して風速を観測するものが知られており、いずれにおいてもそれらの信号を電気ケーブルを介して変換器に送信し、風向・風速を観測するようになっている（例えば特許文献４参照）。
【先行技術文献】
【特許文献】
【０００８】
【特許文献１】特開２００８−０３９５７４号公報
【特許文献２】特開平０７−２１８２５４号公報
【特許文献３】特開２００５−２２１３７２号公報
【特許文献４】特開２００４−２５７８７４号公報
【発明の概要】
【発明が解決しようとする課題】
【０００９】
赤外線測定器を用いた水位観測装置は、センサとしての赤外線測定器に電源を必要とするため、商用電源を用いるか、ソーラーとバッテリーを組み合わせた電源を構成する必要があり、また、送出された赤外光を赤外線測定器に正確に反射させる必要があることから、振動の大きな場所や、波動の大きな場所での計測は困難となる。
【００１０】
水圧を測定する方式では、圧力計として電気を使用した半導体方式圧力計や水晶方式圧力計が一般に用いられが、これらの圧力計は電気を使用して計測する関係から、圧力計まで信号用電気ケーブルを接続する必要があり、雷や他の電気機械器具などからの電磁ノイズからの影響を受けやすく、特に屋外で使用する場合には保安器を設置するなどの対策が必要になる。
【００１１】
また、圧力計は計測部である圧力計測部（センサヘッド）と圧力計測結果から液面位置に変換する変換器の構成となるが、高価なものであり、多点で計測する目的などには経済性の点で困難である。
【００１２】
さらに、水圧を測定する方式では、大気圧の変動が計測結果に誤差となり影響を及ぼすことから、圧力計内と大気間をパイプで連結し、圧力計内部の大気圧を外部の大気圧と同じにする大気圧開放の方法をとるか、別途計測した大気圧によって大気圧の誤差を補正する必要があり、装置が複雑化する。
【００１３】
さらに、水圧を測定する方式では、測定対象の水の比重により水面位置の計測を補正する必要があり、例えば濁流などの土砂を含む水の場合、測定誤差が発生する。
【００１４】
降雨量観測装置や風向、風速観測装置においては、センサ部と変換器間を専用の電気ケーブルで接続するため施工費が嵩むほか、電気設備などからの電気的なノイズによる誤動作、雷からのノイズによる誤動作、あるいは誘導雷によってセンサ部や変換器が損傷を受けるなどの被害の発生などの問題がある。
【００１５】
また、変換部は専用の光電エンコーダや光電パルスなどの信号から、風向や風速の値に変換しているが、これをリアルタイムで遠方にデータを伝送しようとする場合、更に高額な伝送機器類の設置が必要となり、特に、伝送機器類は高額であるために、気象観測データとしては、本来リアルタイム性が最も求められるこれらの観測所においても、データを一時記憶装置に保管しておき、後日データを収集する観測所が現実には多数存在している。
【００１６】
そこで、本発明は、センサに対する電気ケーブルの接続を不要にして信頼性を向上できると共に、設置費用を安価にでき、しかも、設置の自由度を大きくできる気象事象観測装置の提供を目的とする。
【課題を解決するための手段】
【００１７】
前記目的を達成するため、請求項１の発明は、ＩＣタグとＩＣタグリーダーとを備え、ＩＣタグリーダーはＩＣタグからの到達電波強度が高レベルから低レベルへ変化することの検知および低レベルから高レベルへ変化することの検知の少なくとも一方に基づいて気象事象を観測する気象事象観測装置を特徴としている。
【００１８】
また、請求項２の発明は、ＩＣタグリーダーはＩＣタグからの到達電波強度が所定値より低下したことの検知および所定値より上昇したことの検知の少なくとも一方に基づいて気象事象を観測する請求項１記載の気象事象観測装置を特徴としている。
【００１９】
また、請求項３の発明は、ＩＣタグリーダーはＩＣタグからの到達電波強度が両者間での無線通信が通信可能状態から通信不可能状態に変化したことの検知および両者間での無線通信が通信不可能状態から通信可能状態に変化したことの検知の少なくとも一方に基づいて気象事象を観測する請求項１記載の気象事象観測装置を特徴としている。
【００２０】
また、請求項４の発明は、前記気象事象は、河川等の水位である請求項１乃至請求項３のいずれかに記載の気象事象観測装置を特徴としている。
【００２１】
また、請求項５の発明は、複数のＩＣタグを垂直方向に配置し、ＩＣタグリーダーは少なくとも１個のＩＣタグからの到達電波強度が水位の上昇にともなって高レベルから低レベルへ変化することの検知に基づいて河川等の水位を観測する請求項４記載の気象事象観測装置を特徴としている。
【００２２】
また、請求項６の発明は、複数のＩＣタグを垂直方向に配置し、ＩＣタグリーダーは少なくとも１個のＩＣタグからの到達電波強度が水位の上昇にともなって所定値より低下したことの検知に基づいて河川等の水位を観測する請求項４および請求項５のいずれかに記載の気象事象観測装置を特徴としている。
【００２３】
また、請求項７の発明は、複数のＩＣタグを垂直方向に配置し、ＩＣタグリーダーは少なくとも１個のＩＣタグからの到達電波強度が水位の上昇にともなって両者間での無線通信が通信可能状態から通信不可能状態に変化したことの検知に基づいて河川等の水位を観測する請求項４および請求項５のいずれかに記載の気象事象観測装置を特徴としている。
【００２４】
また、請求項８の発明は、複数のＩＣタグを垂直方向に配置し、ＩＣタグリーダーは少なくとも１個のＩＣタグからの到達電波強度が水位の下降にともなって低レベルから高レベルへ変化することの検知に基づいて河川等の水位を観測する請求項４記載の気象事象観測装置を特徴としている。
【００２５】
また、請求項９の発明は、複数のＩＣタグを垂直方向に配置し、ＩＣタグリーダーは少なくとも１個のＩＣタグからの到達電波強度が水位の下降にともなって所定値より上昇したことの検知に基づいて河川等の水位を観測する請求項４および請求項８のいずれかに記載気象事象観測装置を特徴としている。
【００２６】
また、請求項１０の発明は、複数のＩＣタグを垂直方向に配置し、ＩＣタグリーダーは少なくとも１個のＩＣタグからの到達電波強度が水位の下降にともなって両者間での無線通信が通信不可能状態から通信可能状態に変化したことの検知に基づいて河川等の水位を観測することを特徴とする請求項４および請求項８のいずれかに記載の気象事象観測装置を特徴としている。
【００２７】
また、請求項１１の発明は、複数のＩＣタグを垂直方向に配置すると共に、最上位のＩＣタグの上方にＩＣタグリーダーを配置し、ＩＣタグリーダーは水位の上昇にともなって全てのＩＣタグからの電波到達強度が高レベルから低レベルへ変化することの検知に基づくと共に、ＩＣタグリーダーの水没の検知に基づいて河川等の水位を観測する請求項４記載の気象事象観測装置を特徴としている。
【００２８】
また、請求項１２の発明は、水位に追従して上下動可能なフロートにＩＣタグを設置し、ＩＣタグリーダーはＩＣタグからの到達電波強度が高レベルから低レベルへ変化することの検知および低レベルから高レベルへ変化することの検知の少なくとも一方に基づいて河川等の水位を観測する請求項４記載の気象事象観測装置を特徴としている。
【００２９】
また、請求項１３の発明は、水位に追従して転動しながら上下方向に移動する円筒形状フロートの外周面または側面に複数のＩＣタグを設置すると共に、円筒形状フロートが転動しながら上下方向に移動するときＩＣタグの水没と非水没とを繰り返すようし、ＩＣタグリーダーはＩＣタグからの到達電波強度が高レベルから低レベルへ変化することの検知および低レベルから高レベルへ変化することの検知の少なくとも一方に基づいて河川等の水位を観測する請求項４記載の気象事象観測装置を特徴としている。
【００３０】
また、請求項１４の発明は、前記気象事象は、降雨量である請求項１乃至請求項３のいずれかに記載の気象事象観測装置を特徴としている。
【００３１】
また、請求項１５の発明は、所定量の雨水を貯留したとき枡の転倒により一方の桝から他方の桝に雨水の貯留が変更することを繰り返す雨量計の双方の枡内部にＩＣタグを配置し、ＩＣタグリーダーは雨水の貯留にともなってＩＣタグからの電波到達強度が高レベルから低レベルへ変化することの検知に基づいて枡の転倒を検知して降雨量を観測する請求項１４記載の気象事象観測装置を特徴としている。
【００３２】
また、請求項１６の発明は、所定量の雨水を貯留したとき桝の転倒により一方の桝から他方の桝に雨水の貯留が変更することを繰り返す雨量計の枡の転倒により雨水が流出する通路にＩＣタグを配置し、ＩＣタグリーダーは枡の転倒による雨水の流出にともなってＩＣタグからの電波到達強度が高レベルから低レベルへ変化することの検知に基づいて枡の転倒を検知して降雨量を観測する請求項１４記載の気象事象観測装置を特徴としている。
【００３３】
また、請求項１７の発明は、ＩＣタグにはリード線を介して水分と接すると電気特性が変化する電気素子が接続されている請求項１乃至請求項１６のいずれかに記載の気象事象観測装置を特徴としている。
【００３４】
また、請求項１８の発明は、ＩＣタグおよびＩＣタグリーダーの少なくとも一方を防水構造とし、表面に撥水性のコーティング処理を施してなる請求項１乃至請求項１６のいずれかに記載の気象事象観測装置を特徴としている。
【００３５】
また、請求項１９の発明は、前記気象事象は、風速である請求項１乃至請求項３のいずれかに記載の気象事象観測装置を特徴としている。
【００３６】
また、請求項２０の発明は、円板に複数のＩＣタグを配置してなるＩＣタグ円板と、円周方向に電磁遮蔽部と電磁透過部とを有する遮蔽円板とを同心状に配置してなるＩＣタグエンコーダーを、風を受けて回転する風力回転体に取り付け、ＩＣタグリーダーはＩＣタグ円板および遮蔽円板のいずれか一方が風力回転体と共に回転するのにともなってＩＣタグからの電波到達強度が電磁遮蔽部の通過により高レベルから低レベルへ変化することの検知に基づいて風速を観測する請求項１９記載の気象事象観測装置を特徴としている。
【００３７】
また、請求項２１の発明は、前記気象事象は、風向である請求項１乃至請求項３のいずれかに記載の気象事象観測装置を特徴としている。
【００３８】
また、請求項２２の発明は、円板に複数のＩＣタグを配置してなるＩＣタグ円板と、円周方向に電磁遮蔽部と電磁透過部とを有する遮蔽円板とを同心状に配置してなるＩＣタグエンコーダーを、風向に応じて回転する風向回転体に取り付け、ＩＣタグリーダーはＩＣタグ円板および遮蔽円板のいずれか一方が風力回転体と共に回転するのにともなってＩＣタグからの電波到達強度が電磁遮蔽部の通過により高レベルから低レベルへ変化することの検知に基づいて風向を観測する請求項２１記載の気象事象観測装置を特徴としている。
【発明の効果】
【００３９】
本発明は、ＩＣタグリーダーがＩＣタグからの電波到達強度が所定値より低下したこと、および所定値より上昇したことの少なくとも一方を検知して、またはＩＣタグとの間の無線通信が通信可能状態から通信不可能状態に変化したこと、および通信不可能状態から通信可能状態に変化したことの少なくとも一方を検知して気象事象を観測する気象事象観測装置であり、センサとしてのＩＣタグ自体は電源が不要であるので、ＩＣタグとＩＣタグリーダとの間は非接触式（無線）で情報の授受が可能であり、また、ＩＣタグリーダーはバッテリーで動作可能なため商用電源を引き込む必要が無く、ＩＣタグリーダー自体に無線によって外部から給電することができることから電気ケーブルの接続を不要にすることが可能で、これによって信頼性を向上できると共に設置の自由度を大きくすることができる。
【００４０】
また、ＩＣタグおよびＩＣタグリーダーは市販のものを利用でき、観測データ処理も市販のパーソナルコンピュータを利用できるので、設置費用を安価にすることができる。
【００４１】
また、ＩＣタグにリード線を介して水分と接すると電気特性が変化する電気素子を接続して使用することにより（請求項１７）、１個のＩＣタグによって複数点の水位を観測することができるようになり、また、ＩＣタグによる水位観測の用途を拡大できるようになる。
【００４２】
また、ＩＣタグおよびＩＣタグリーダーの少なくとも一方を防水構造とし、表面に撥水性のコーティング処理を施すことにより（請求項１９）、表面からの水分の除去が速やかになり、電波到達強度の測定精度を向上でき、また、無線可能状態と無線不可能状態の切替の検知を確実に行うことができるようになる。
【００４３】
本発明の気象事象観測装置は、河川等の水位観測、降雨量観測、風速観測および風向観測などに適用することができ、これによって、各種観測の信頼性を向上できると共に設置の自由度を大きくでき、また、設置費用を安価にすることができる。
【図面の簡単な説明】
【００４４】
【図１】本発明の気象事象観測装置の作用を示すフローチャートであり、図１（ａ）は到達電波強度の変化を利用するときのフローチャートであり、図１（ｂ）は通信可能状態と通信不可能状態の変化を利用するときのフローチャートである。
【図２】ＩＣタグに電気素子を接続した状態を示す概略図である。
【図３】ＩＣタグに電気素子を接続した形態を示す概略図であり、図３（ａ）は電気素子を１段に接続した概略図であり、図３（ｂ）は電気素子Ｂを２段に接続した概略図である。
【図４】本発明の気象事象観測装置を河川等の水位観測装置に適用した最良の実施の形態の第１例を説明する図面であり、図４（ａ）は正面図、図４（ｂ）は側面図である。
【図５】本発明の気象事象観測装置を河川等の水位観測装置に適用した最良の実施の形態の第２例を説明する図面であり、図５（ａ）は正面図、図５（ｂ）は側面図である。
【図６】本発明の気象事象観測装置を河川等の水位観測装置に適用した最良の実施の形態の第３例を説明する図面であり、図６（ａ）は正面図、図６（ｂ）は側面図である。
【図７】本発明の気象事象観測装置を河川等の水位観測装置に適用した最良の実施の形態の第４例を説明する図面であり、図７（ａ）は正面図、図７（ｂ）は側面図である。
【図８】本発明の気象事象観測装置を河川等の水位観測装置に適用した最良の実施の形態の第５例を説明する図面であり、図８（ａ）は正面図、図８（ｂ）は側面図である。
【図９】最良の実施の形態の第５例において使用される円筒形状フロートを説明する図面であり、図９（ａ）は正面図、図９（ｂ）は側面図である。
【図１０】本発明の気象事象観測装置をマンホールの水位観測装置に適用した最良の実施の形態を説明する図面である。
【図１１】本発明の気象事象観測装置を降雨量観測装置に適用した最良の実施の形態の第１例を説明する図面である。
【図１２】本発明の気象事象観測装置を降雨量観測装置に適用した最良の実施の形態の第２例を説明する図面である。
【図１３】本発明の気象事象観測装置を降雨量観測装置に適用した最良の実施の形態の第３例を説明する図面である。
【図１４】本発明の気象事象観測装置を降雨量観測装置に適用した最良の実施の形態の第４例を説明する図面である。
【図１５】本発明の気象事象観測装置を風速観測装置および風向観測装置に適用した最良の実施の形態に使用されるＩＣタグエンコーダーを説明する図面であり、図１５（ａ）は正面図、図１５（ｂ）は側面図である。
【図１６】河川等の水位観測装置の従来例を説明する図面である。
【図１７】河川等の水位観測装置の従来例を説明する図面である。
【図１８】降雨量観測装置の従来例を説明する図面である。
【図１９】風向、風速観測装置の従来例を説明する図面である。
【発明を実施するための形態】
【００４５】
以下、本発明の気象事象観測装置の最良の実施の形態を添付図面を参照して説明する。
【００４６】
本発明の気象事象観測装置は、ＩＣタグリーダーはＩＣタグからの到達電波強度が高レベルから低レベルへ変化することの検知および低レベルから高レベルへ変化することの検知の少なくとも一方に基づくものであるが、具体的には、例えば、（イ）ＩＣタグリーダーはＩＣタグからの到達電波強度が所定値より低下したことの検知および所定値より上昇したことの検知の少なくとも一方に基づく気象事象観測装置、および、（ロ）ＩＣタグリーダーはＩＣタグからの到達電波強度が両者間での無線通信が通信可能状態から通信不可能状態に変化したことの検知および両者間での無線通信が通信不可能状態から通信可能状態に変化したことの検知の少なくとも一方に基づく気象事象観測装置をあげることができる。
【００４７】
図１（ａ）は、前記（イ）の気象事象観測装置の作用をフローチャートで示したものであり、ＩＣタグリーダーはＩＣタグからの無線電波を受信して到達電波強度を測定し、この到達電波強度を閾値と比較して所定値以上か否かの判定を行い、所定値以上であるときは、例えば河川等の水位観測においてはＩＣタグの水没なしとして、この情報をメモリに記憶し、さらに基地局に伝送する。
【００４８】
ＩＣタグリーダーがＩＣタグからの無線電波を受信できない場合、および到達電波強度が所定値未満のときは、例えば河川等の水位観測においてはＩＣタグの水没ありとして、この情報をメモリに記憶し、さらに基地局に伝送する。
【００４９】
ＩＣタグとしては、電池内蔵のアクティブタイプと電池を内蔵しないパッシブタイプとがあり、本発明においてはいずれのタイプも使用可能であるが、アクティブタイプのＩＣタグは使用周波数帯によっては水中での電波到達距離が大となって正確な観測ができなくなることもあるので、周波数帯域が１ＧＨｚ程度のものを使用することが好ましく、また、前記観測における到達電波強度の閾値は、ＩＣタグリーダーおよびＩＣタグが設置される周囲状況等を勘案して決定されるが、通常の到達電波強度の（１／３）〜（１／５）程度に設定されるのが一般的である。
【００５０】
図１（ｂ）は、前記（ロ）の気象事象観測装置の作用をフローチャートで示したものであり、ＩＣタグリーダーがＩＣタグからの無線電波を受信できたときは、例えば河川等の水位観測においてはＩＣタグの水没なしとして、この情報をメモリに記憶し、さらに基地局に伝送する。
【００５１】
ＩＣタグリーダーがＩＣタグからの無線電波を受信できなかったときは、例えば河川等の水位観測においてはＩＣタグの水没ありとして、この情報をメモリに記憶し、さらに基地局に伝送する。
【００５２】
また、本発明においては、ＩＣタグをそれ自体単独で使用することができるが、ＩＣタグにリード線を介して水分と接すると電気特性が変化する電気素子を接続した形態で使用することができ、このような電気素子としては、抵抗、コンデンサ、熱電対など、現在広く市販されているものを使用することができる。
【００５３】
図２は、ＩＣタグに電気素子を接続した状態を示す概略図であり、ＩＣタグＡは、メモリ部Ｄ、制御部Ｅ、送受信部Ｆおよびアンテナ部Ｇからなっており、このようなＩＣタグＡにリード線Ｃを介して電気素子Ｂが接続されている。
【００５４】
制御部Ｅは、電気素子Ｂでの計測制御および電気素子情報に加えてＩＣタグＡのＩＤ情報などの書き込み保存、書き換えをメモリ部Ｄに行わせると共に、電気素子Ｂでの計測情報などを送受信部Ｆおよびアンテナ部Ｇを経由してＩＣタグリーダーに伝送させる機能を備えている。
【００５５】
図３は、ＩＣタグＡに電気素子Ｂを接続した形態を示す概略図であり、図３（ａ）の例では、ＩＣタグＡにリード線Ｃを介して電気素子Ｂ１が１段に接続されており、図３（ｂ）の例では、ＩＣタグＡにリード線Ｃを介して電気素子Ｂ１，Ｂ２が２段に接続されている。
【００５６】
（実施例１）
図４は、本発明の気象事象観測装置を河川等の水位観測装置に適用した第１例を示すもので、図４（ａ）は正面図、図４（ｂ）は側面図である。
【００５７】
本実施例１の水位観測装置は、地盤１に立設された支柱２に防波管３を固定し、防波管３の内壁に沿った垂直方向には複数のＩＣタグ４１，４２，・・・４５（いずれもパッシブタイプＩＣタグ）を配置し、支柱２の上端部にはＩＣタグリーダー５を配置したものである。
【００５８】
ＩＣタグ４１，４２，・・・４５を防波管３の内部に配置することにより、水面６に立つ波の影響を軽減して水位を観測することができる。
【００５９】
各ＩＣタグ４１，４２，・・・４５に付与された識別符号はＩＣタグリーダー５によって解読されるようになっており、河川等の増水が無く、水面６がＩＣタグ４１よりも下方にあるときは、全てのＩＣタグ４１，４２，・・・４５とＩＣタグリーダー５との間で無線通信が可能な状態にあり、水位はＩＣタグ４１以下であると判断される。
【００６０】
降雨等により水面６が上昇し、ＩＣタグ４１，４２，４３が水没すると、ＩＣタグ４１，４２，４３とＩＣタグリーダー５との間の無線通信が不可能状態で、ＩＣタグ４４，４５とＩＣタグリーダー５との間の無線通信が可能状態となり、水位はＩＣタグ４３とＩＣタグ４４との間であると判断される。
【００６１】
逆に、降雨等の影響がなくなって水面６が下降してＩＣタグ４１よりも下方になったときは、ＩＣタグ４１，４２，４３とＩＣタグリーダー５との間の無線通信が不可能状態から可能状態となり、全てのＩＣタグ４１，４２，・・・４５とＩＣタグリーダー５との間で無線通信が可能な状態となって、水位はＩＣタグ４１以下であると判断される。
【００６２】
なお、ＩＣタグ４１，４２，４３とＩＣタグリーダー５との間の無線通信が通信可能状態から通信不可能状態検知および無線通信が通信不可能状態から通信可能状態に変化したことの検知について説明したが、ＩＣタグ４１，４２，４３からＩＣタグリーダー５への到達電波強度が所定値より低下したことの検知および所定値より上昇したことの検知によっても水位を観測することができる。
【００６３】
本実施例１のように、複数のＩＣタグ４１，４２，・・・４５を垂直方向に配置した構成であると、水位をほぼ連続的に観測することが可能であり、集中豪雨などによる河川等の水位上昇に関する情報を的確に把握することができる。
【００６４】
図５は、本発明の気象事象観測装置を河川等の水位観測装置に適用した第２例を示すもので、図５（ａ）は正面図、図５（ｂ）は側面図であり、図４（ａ）、図４（ｂ）と同一呼称部または同一部材には同一符号を付してある。
【００６５】
本実施例２の水位観測装置は、各ＩＣタグ４２，・・・４５にリード線を介して電気素子５２２，５２３，５２４，５２５をそれぞれ接続したものである。
【００６６】
降雨等により水面６が上昇し、ＩＣタグ４１，４２，４３までが水没し、さらに水面６が上昇して電気素子５２４が水没してＩＣタグ４４からの到達電波強度が低下し、ＩＣタグ４４とＩＣタグリーダー５との間の無線通信が可能状態であるときは、水位は電気素子５２４とＩＣタグ４４との間であると判断される。
【００６７】
さらに水面６が上昇してＩＣタグ４４とＩＣタグリーダー５との間の無線通信が不可能状態であり、ＩＣタグ４５とＩＣタグリーダー５との間の無線通信状態が通常と変化ないときは、ＩＣタグ４４と水位は電気素子５２５との間であると判断される。
【００６８】
本実施例２の水位観測装置のように、各ＩＣタグ４２，・・・４５にリード線を介して電気素子５２２，５２３，５２４，５２５をそれぞれ接続した構成であると、同じＩＣタグの数でありながら、よりきめ細かな水位観測を行うことが可能となる。
【００６９】
本実施例２の上記以外の構成および作用は前記実施例１と同様である。
【００７０】
（実施例３）
図６は、本発明の気象事象観測装置を河川等の水位観測装置に適用した第３例を示すもので、図６（ａ）は正面図、図６（ｂ）は側面図であり、図４（ａ）、図４（ｂ）と同一呼称部または同一部材には同一符号を付してある。
【００７１】
本実施例３の水位観測装置は、完全に防水構造にしたＩＣタグリーダー２５を使用し、このＩＣタグリーダー２５を最上位のＩＣタグ４５の上方に配置したものである。
【００７２】
水面６がＩＣタグリーダー２５に到達しないときは、実施例１と同様にＩＣタグリーダー２５とＩＣタグ４１，４２，・・・４５との間の無線通信の可能、不可能に基づいて水位の観測が行われ、水面６がＩＣタグリーダー２５を越えてＩＣタグリーダー２５自体が水没すると、ＩＣタグリーダーから無線の送出が不可能となり、これに基づいて水位はＩＣタグリーダー２５を越えたと判断される。
【００７３】
本実施例３のように、ＩＣタグ４１，４２，・・・４５の水没に加えてＩＣタグリーダー２５の水没に基づいて水位を観測する構成であると、ＩＣタグリーダー２５が固定配置される支柱２の高さを低く抑えることができ、水位観測装置の設置費用を低減できる。
【００７４】
（実施例４）
図７は、本発明の気象事象観測装置を河川等の水位観測装置に適用した第４例を示すもので、図７（ａ）は正面図、図７（ｂ）は側面図であり、図４（ａ）、図４（ｂ）と同一呼称部または同一部材には同一符号を付してある。
【００７５】
本実施例４の水位観測装置は、防波管３内に水面６の上昇、下降に伴って上下動するフロート７を配置し、このフロート７の上部にＩＣタグ４を配置し、支柱２の上端部にＩＣタグリーダー５を配置したものである。
【００７６】
そして、ＩＣタグ４とＩＣタグリーダー５との間には通信可能な距離の限界があることを利用し、通常は水面６が下方にあって、ＩＣタグ４はＩＣタグリーダー５との無線通信不可能距離範囲にあるが、降雨によって水面６（フロート７）が上昇してＩＣタグ４がＩＣタグリーダー５との無線通信可能距離範囲に入ると、この無線通信が開始したことをとらえて一定レベルの水位を観測するのである。
【００７７】
また、前記とは逆に、通常は水面６が上方にあって、ＩＣタグ４はＩＣタグリーダー５との無線通信可能距離範囲にあるが、渇水によって水面６（フロート７）が下降してＩＣタグ４がＩＣタグリーダー５との無線通信不可能距離範囲に入ると、この無線通信が途絶えたことをとらえて一定レベルの水位を観測することができる。
【００７８】
本実施例４のように、ＩＣタグ４とＩＣタグリーダー５との間の無線通信可能な距離をとらえて水位を観測する構成であると、正確な水位を観測することができる。
【００７９】
（実施例５）
図８は、本発明の気象事象観測装置を河川等の水位観測装置に適用した第５例を示すもので、図８（ａ）は正面図、図８（ｂ）は側面図であり、図４（ａ）、図４（ｂ）と同一呼称部または同一部材には同一符号を付してある。
【００８０】
本実施例５の水位観測装置は、防波管３内に水面６の上昇、下降に伴って（水位に追従して）防波管３内壁に沿って転動しながら上下方向に移動する円筒形状フロート８を配置し、この円筒形状フロート８の転動しながらの上下方向移動を利用して水位を観測するものである。
【００８１】
具体的には、図９（ａ）の正面図および図９（ｂ）の側面図に示すように、円筒形状フロート８の外周面に複数のＩＣタグ４１，４２，４３，４４を配置し、また、円筒形状フロート８の外周面にリング状磁石９を配置する。
【００８２】
一方、防波管３の内壁には図８（ａ）、図８（ｂ）に示すように、上下方向に金属レール１０を設置すると、円筒形状フロート８が自らの浮力とリング状磁石９の吸引力との作用により、水面６の上昇、下降に伴って金属レール１０上を転動しながら上下方向に移動する。
【００８３】
円筒形状フロート８の転動に伴い、ＩＣタグ４１，４２，４３，４４が水没、非水没を繰り返すことで、ＩＣタグ４１，４２，４３，４４とＩＣタグリーダー５との間の無線通信の通信可能状態と通信不可能状態が変化を繰り返し、この変化を検知することで水位を観測できる。
【００８４】
本実施例５のように、円筒形状フロート８の転動を利用して水位を観測する構成であると、ＩＣタグ４１，４２，４３，４４の取り付け間隔を狭くすると、例えば１ｃｍ単位での水位観測が可能となり、また、水面６の下降時は金属レール１０に沿い、円筒形状フロート８が下降してくることで、水位の下降をも観測でき、また、全てのＩＣタグ４１，４２，４３，４４とＩＣタグリーダー５との通信が可能なポイントを水位ゼロレベルと設定すれば、水位ゼロレベルも確実に確認することができる。
【００８５】
なお、図８（ａ）、図８（ｂ）にはＩＣタグリーダー５の電源としてソーラーパネル１１およびバッテリー１２を設置した例が示されている。
【００８６】
また、防波管３の内壁に設置した金属レール１０と円筒形状フロート８外周のリング状磁石９との作用により円筒形状フロート８が転動する例を説明したが、金属レール１０を梯子状や平面展開のギア状にし、リング状磁石９を歯車状にすると、円筒形状フロート８の転動は金属レール１０に対してすべりのないものとなり、より正確な水位観測が可能となる。
【００８７】
（実施例６）
図１０は、本発明の気象事象観測装置をマンホール内の水位観測装置に適用した例を示すものであり、図４（ａ）、図４（ｂ）と同一呼称部または同一部材には同一符号を付してある。
【００８８】
本実施例６の水位観測装置は、マンホールの外部にＩＣタグ４を配置すると共に、マンホールの内部に電気素子５２を配置し、ＩＣタグ４と電気素子５２とをリード線５１で接続したものである。
【００８９】
マンホール内の水面６が上昇して電気素子５２が水没する位置まで到達すると、ＩＣタグ４からＩＣタグリーダー５に到達する電波強度が所定値より低下するので、これを検知することにより電気素子５２の水没、すなわち、マンホール内の水位の変化を観測することができる。
【００９０】
本実施例６に従ってマンホールの水位を観測することにより、近年の都市型集中豪雨に伴う下水道の排水能力以上の降雨によるマンホール内部の水位上昇への対応を的確に行うことが可能となる。
【００９１】
しかも、マンホール外部の地上にＩＣタグ４を配置し、マンホールの内部に電気素子５２を配置する構成であると、ＩＣタグ４からの無線電波がマンホールの金属製蓋によって遮られることがないため、マンホール内部の水位変化観測システムをＩＣタグを使用して構築することが可能となる。
【００９２】
（実施例７）
図１１は、本発明の気象事象観測装置を降雨量観測装置に適用した第１例を示すもので、図４（ａ）、図４（ｂ）と同一呼称部または同一部材には同一符号を付してある。
【００９３】
本実施例７の降雨量観測装置は、受水口１３の下方に枡１４１，１４２からなる転倒枡１４を備え、各枡１４１，１４２の内部にそれぞれＩＣタグ４１，４２を配置し、受水口１３で集められた雨水が一方の枡１４１に貯留することによってＩＣタグ４１とＩＣタグリーダー５との無線通信が通信不可能状態となり、枡１４１が満水になると雨水の重みで転倒して雨水が排水口１５１から排水され、その後雨水が他方の枡１４２に貯留することによってＩＣタグ４２とＩＣタグリーダー５との無線通信が通信不可能状態となることの繰り返しを検知することにより降雨量を観測するものである。
【００９４】
各枡１４１，１４２の下方にはストッパー１６１，１６２がそれぞれ配置されており、これによって、枡１４１，１４２の過回転が防止されるようになっている。
【００９５】
本実施例７のように、枡１４１，１４２の内部にＩＣタグ４１，４２を配置し、雨水の貯留により無線通信可能状態から無線通信不可能状態への変化を検知して降水量を観測する構成であると、一方の枡１４１から他方の枡１４２に切り替わるときの電気接点の動作回数を電気ケーブルを介して変換器に送信する必要がなくなり、降雨量観測の信頼性を向上できると共に観測装置設置の自由度を大きくすることができる。
【００９６】
（実施例８）
図１２は、本発明の気象事象観測装置を降雨量観測装置に適用した第２例を示すもので、図４（ａ）、図４（ｂ）および図１１と同一呼称部または同一部材には同一符号を付してある。
【００９７】
本実施例８の降雨量観測装置は、各ＩＣタグ４１，４２にリード線５１１，５１２を介して電気素子５２１，５２２をそれぞれ接続したものである。
【００９８】
電気素子５２１，５２２は、枡１４１，１４２の内部の雨水に触れる箇所に配置され、ＩＣタグ４１，４２は、枡１４１，１４２の外部の雨水に触れない箇所に配置され、雨水が一方の枡１４１に貯留することによってＩＣタグ４１からＩＣタグリーダー５への到達電波強度が所定値より低下した状態となり、枡１４１が満水になると雨水の重みで転倒して雨水が排水口１５１から排水され、その後雨水が他方の枡１４２に貯留することによってＩＣタグ４２からＩＣタグリーダー５への到達電波強度が所定値より低下した状態となることの繰り返しを検知することにより降雨量を観測するものである。
【００９９】
本実施例８のように、各ＩＣタグ４１，４２にリード線５１１，５１２を介して電気素子５２１，５２２をそれぞれ接続し、ＩＣタグ４１，４２を枡１４１，１４２の外部の雨水に触れない箇所に配置する構成とすることにより、ＩＣタグ４１，４２は電気素子５２１，５２２の動作に拘わらず常に通信が可能な状態にあり、動作確認の信頼性が高いシステムを実現することができる。
【０１００】
（実施例９）
図１３は、本発明の気象事象観測装置を降雨量観測装置に適用した第３例を示すもので、図１１と同一呼称部または同一部材には同一符号を付してある。
【０１０１】
本実施例９の降雨量観測装置は、転倒枡１４が転倒したとき一方の枡１４１から流出する雨水の通路となる排水口１５１および転倒枡１４が転倒したとき他方の枡１４２から流出する通路となる排水口１５２の内部にそれぞれＩＣタグ４１，４２を配置し、雨水が一方の枡１４１から流出して排水口１５１を通過するときＩＣタグ４１とＩＣタグリーダー５との無線通信が通信不可能状態となり、雨水が他方の枡１４２から流出して排水口１５２を通過するときＩＣタグ４２とＩＣタグリーダー５との無線通信が通信不可能状態となることの繰り返しを検知することにより降雨量を観測するものである。
【０１０２】
本実施例９のように、排水口１５１，１５２の内部にＩＣタグ４１，４２を配置し、枡１４１，１４２から流出した雨水の通過により無線通信可能状態から無線通信不可能状態へと変化したのを検知して降水量を観測する構成であると、前記実施例５の場合と同様に一方の枡１４１から他方の枡１４２に切り替わるときの電気接点の動作回数を電気ケーブルを介して変換器に送信する必要がなくなり、降雨量観測の信頼性を向上できると共に観測装置設置の自由度を大きくすることができる。
【０１０３】
（実施例１０）
図１４は、本発明の気象事象観測装置を降雨量観測装置に適用した第２例を示すもので、図１１と同一呼称部または同一部材には同一符号を付してある。
【０１０４】
本実施例１０の降雨量観測装置は、各ＩＣタグ４１，４２にリード線５１１，５１２を介して電気素子５２１，５２２をそれぞれ接続したものである。
【０１０５】
電気素子５２１，５２２は、排水口１５１，１５２の内部の雨水に触れる箇所に配置され、ＩＣタグ４１，４２は、排水口１５１，１５２の外部の雨水に触れない箇所に配置され、雨水が一方の枡１４１から流出して排水口１５１を通過するときＩＣタグ４１からＩＣタグリーダー５への到達電波強度が所定値より低下した状態となり、雨水が他方の枡１４２から流出して排水口１５２を通過するときＩＣタグ４２からＩＣタグリーダー５への到達電波強度が所定値より低下した状態となることの繰り返しを検知することにより降雨量を観測するものである。
【０１０６】
本実施例１０のように、各ＩＣタグ４１，４２にリード線５１１，５１２を介して電気素子５２１，５２２をそれぞれ接続し、ＩＣタグ４１，４２を排水口１５１，１５２の外部の雨水に触れない箇所に配置する構成とすることにより、ＩＣタグ４１，４２は電気素子５２１，５２２の動作に拘わらず常に通信が可能な状態にあり、動作確認の信頼性が高いシステムを実現することができる。
【０１０７】
実施例１〜実施例１０の各々において、水没するＩＣタグ４１，４２，４３，４４およびＩＣタグリーダー５は防水構造とすると共に、表面に撥水性のコーティング処理を施すことにより、表面からの水分の除去が速やかになり、電波到達強度の測定精度を向上でき、また、無線可能状態と無線不可能状態の切替の検知が確実になる。
【０１０８】
（実施例１１）
図１５は、本発明の気象事象観測装置を風速観測装置または風向観測装置に適用するとき使用されるＩＣタグエンコーダーの例を示すもので、図１５（ａ）は正面図、図１５（ｂ）は側面図であり、図４（ａ）、図４（ｂ）と同一呼称部または同一部材には同一符号を付してある。
【０１０９】
本実施例１１の風速観測装置に使用されるＩＣタグエンコーダー１７は、円板１８に複数のＩＣタグ４１，４２，４３・・・４ｎを配置してなるＩＣタグ円板１９と、円周方向に電磁遮蔽部２１と電磁透過部２２とを有する遮蔽円板２０とを同心状に配置して構成されている。
【０１１０】
このようなＩＣタグエンコーダー１７を、風を受けて回転する風力回転体（例えば、図１２に示す従来の風向・風速観測装置のプロベラ）に取り付け、ＩＣタグ円板１８および遮蔽円板２０のいずれか一方を風力回転体の回転と連動させ、ＩＣタグ４１，４２，４３・・・４ｎが電磁透過部２２に位置したときは、ＩＣタグ４１，４２，４３・・・４ｎとＩＣタグリーダー５との間の無線通信が通信可能状態となり、ＩＣタグ４１，４２，４３・・・４ｎが電磁遮蔽部２１に位置したときは、ＩＣタグ４１，４２，４３・・・４ｎとＩＣタグリーダー５との間の無線通信が通信不可能状態となることを利用し、ＩＣタグ４１，４２，４３・・・４ｎとＩＣタグリーダー５との通信状態と通信時間を計測することにより、風速を観測することができる。
【０１１１】
本実施例１１のように、ＩＣタグ４１，４２，４３・・・４ｎとＩＣタグリーダー５との間の無線通信状態を検出して風速を観測する構成であると、風速データの伝送が簡略化される。
【０１１２】
（実施例１２）
実施例１１で説明したＩＣタグエンコーダー１７を、風向に応じて回転する風向回転体（例えば、図１９に示す従来の風向・風速観測装置の尾翼）に取り付け、ＩＣタグ円板１８および遮蔽円板２０のいずれか一方を風向回転体の回転と連動させ、ＩＣタグ４１，４２，４３・・・４ｎが電磁透過部２２に位置したときは、ＩＣタグ４１，４２，４３・・・４ｎとＩＣタグリーダー５との間の無線通信が通信可能状態となり、ＩＣタグ４１，４２，４３・・・４ｎが電磁遮蔽部２１に位置したときは、ＩＣタグ４１，４２，４３・・・４ｎとＩＣタグリーダー５との間の無線通信が通信不可能状態となることを利用し、予めＩＣタグ４１，４２，４３・・・４ｎと東西南北等の方角を対応させておくことにより、風向を観測することができる。
【符号の説明】
【０１１３】
４，４１，４２，４３・・・４ｎ        ＩＣタグ
５    ＩＣタグリーダ
６    水面
７    フロート
８    円筒形状フロート
１４  転倒枡
１４１，１４２    枡
１５１，１５２    排水口
１７  ＩＣタグエンコーダ
１８  円板
１９  ＩＣタグ円板
２０  遮蔽円板
２１  電磁遮蔽部
２２  電磁透過部
５１１，５１２  リード線  
５２１，５２２  電気素子
【図１】
2010281586.tif 000003
【図２】
2010281586.tif 000004
【図３】
2010281586.tif 000005
【図４】
2010281586.tif 000006
【図５】
2010281586.tif 000007
【図６】
2010281586.tif 000008
【図７】
2010281586.tif 000009
【図８】
2010281586.tif 000010
【図９】
2010281586.tif 000011
【図１０】
2010281586.tif 000012
【図１１】
2010281586.tif 000013
【図１２】
2010281586.tif 000014
【図１３】
2010281586.tif 000015
【図１４】
2010281586.tif 000016
【図１５】
2010281586.tif 000017
【図１６】
2010281586.tif 000018
【図１７】
2010281586.tif 000019
【図１８】
2010281586.tif 000020
【図１９】
2010281586.tif 000021